(57)【特許請求の範囲】
【請求項１】
各々入力並びに第１及び第２の出力を有するカスケード接続された第１及び第２の光フィルタユニットを含む光フィルタの制御方法であって、
前記第１の光フィルタユニットの第１の出力は前記第２の光フィルタユニットの入力に接続され、
前記第１の光フィルタユニットの第２の出力と前記第２の光フィルタユニットの第２の出力から出力された光とをそれぞれそのパワーに応じたレベルを有する第１及び第２の電気信号に変換するステップと、
前記第１及び第２の電気信号を重み付けし、該重み付けされた第１及び第２の電気信号に基づき制御信号を生成するステップと、
前記制御信号に基づき前記第１及び第２の光フィルタユニットを制御するステップとを備え、
前記第１及び第２の電気信号の重み付けは前記第１及び第２の光フィルタユニットの損失に従って行われる方法。
【請求項２】
請求項１に記載の方法であって、
前記制御信号を生成するステップは、前記重み付けされた第１及び第２の電気信号を加算するステップを含み、
前記第１及び第２の光フィルタユニットを制御するステップは、前記加算するステップにより加算された加算結果が最大又は最小になるように前記第１及び第２の光フィルタユニットを制御する方法。
【請求項３】
各々入力並びに第１及び第２の出力を有するカスケード接続された第１及び第２の光フィルタユニットを含む光フィルタの制御装置であって、
前記第１の光フィルタユニットの第１の出力は前記第２の光フィルタユニットの入力に接続され、
前記第１の光フィルタユニットの第２の出力と前記第２の光フィルタユニットの第２の出力から出力された光とをそれぞれそのパワーに応じたレベルを有する第１及び第２の電気信号に変換する第１及び第２の変換器と、
前記第１及び第２の電気信号を重み付けし、該重み付けされた第１及び第２の電気信号に基づき制御信号を生成する回路と、
前記制御信号に基づき前記第１及び第２の光フィルタユニットを制御する回路とを備え、
前記第１及び第２の電気信号の重み付けは前記第１及び第２の光フィルタユニットの損失に従って行われる装置。
【請求項４】
請求項３に記載の装置であって、
前記制御信号を生成する回路は、前記重み付けされた第１及び第２の電気信号を加算する回路を含み、
前記前記第１及び第２の光フィルタユニットを制御する回路は、前記加算する回路の出力レベルが最大又は最小になるように前記第１及び第２の光フィルタユニットを制御する装置。
【発明の詳細な説明】
【０００１】
【発明の属する技術分野】
本発明は光フィルタの制御方法及び制御装置に関する。
【０００２】
【従来の技術】
インターネットトラフィックを中心とするデータ通信需要の爆発的な増大に伴い、バックボーンネットワークの大容量化、超長距離化が求められている。また、ユーザの利用するサービスも多種多様となることから、高信頼で柔軟性に富み経済的なネットワークが求められている。
【０００３】
波長分割多重（ＷＤＭ）技術と光増幅技術とにより、大容量化、超長距離化は飛躍的に進み、伝送路コストの低減が可能になっている。しかし、信号の高速化及び大容量化はネットワーク濃度の情報処理量を増大させ、ノードコストの上昇及び大規模化をもたらす。このような背景によりネットワーク濃度の経済化及び小型化のために、電子回路を光部品に置換え、波長軸上の光パスの単位で様々な処理を行う光分岐挿入（ＯＡＤＭ）装置、光クロスコネクト（ＯＸＣ）装置の開発が急ピッチで進められている。
【０００４】
ＯＡＤＭ装置やＯＸＣ装置においては、光をオン／オフしたり、光を減衰させたり、１×ｎに切り換えたりする機能を有する光スイッチ、波長毎に光信号を振り分ける波長フィルタ等の多くの光機能デバイスが用いられる。これらのうちで、光フィルタは、ＯＸＣ装置やＯＡＤＭ装置における波長切り替え、受信部における各波長の分離、ＡＳＥ（自然放出光雑音）のカット等のために用いられるキーデバイスの一つである。
【０００５】
ＯＡＤＭ装置やＯＸＣ装置においては、波長に応じて各光パスの切り換えが行なわれるので、光フィルタには、所望の波長を選択する波長可変機能を有していることが要求される。波長可変機能により、光フィルタの透過中心波長を所望の波長に一致させて波長に関する選択・分離を行うことができる。一般に、送信光源の波長は揺らぎを持ち、光フィルタ自身にも経時変化、環境変化、制御誤差等で透過中心波長に揺らぎが生じるため、透過中心波長を常に信号波長に一致させるトラッキング制御が必要である。例えば、透過光と光フィルタの透過中心波長との間に若干でもずれが生じた場合、伝送特性等に大きな影響があるため、高精度なトラッキング技術が要求される。例えば、ノッチフィルタの場合、所望の波長の光を抽出し、その光のパワーをモニタリングすることにより得られる誤差信号を用いてトラッキング制御が行なわれる。
【０００６】
また、高密度に波長分割多重された複数の光信号から所望の波長の光信号を抜き出すために用いられる光フィルタにおいては、例えばノッチフィルタでは、隣接チャネルに影響を与えないようなしかも十分なリジェクションレベルが得られるようなフィルタリング形状が求められる。この場合、リジェクションレベルの向上、フィルタリング帯域の狭帯域化を目的として、光フィルタユニットを多段接続して光フィルタを構成することが一般的に行なわれる。
【０００７】
【発明が解決しようとする課題】
複数のフィルタユニットをカスケード接続して構成される光フィルタ、例えばノッチフィルタのトラッキングとして一般的に考えられる方法は、一段目からのモニタ光を検出して、それにより全ての段における光フィルタを制御するというものである。しかし、カスケード接続した複数のフィルタユニットには微妙に個体差等があり、同一制御信号を入力したとしても各フィルタユニットの透過中心波長は必ずしも完全に一致しない場合が多い。この場合、光フィルタ全体のフィルタリング形状は、各段の透過中心波長が一致した場合とは異なったものとなる。このような状態で一段目から得られたモニタ光を用いた制御を行うと、そのフィルタユニットの透過中心波長と光フィルタ全体としての透過中心波長が異なることに起因して、通過させるべき光信号の波長に対して光フィルタ全体の透過中心波長がずれて制御されてしまう。
【０００８】
光フィルタの透過中心波長と光信号の波長がずれると、リジェクション特性は大きく劣化する。また、このように大きなずれが生じると、最悪の場合、他の波長チャネルの光信号が選択されて大きな伝送劣化を招く怖れがある。
【０００９】
よって、本発明の目的は、光フィルタのトラッキング制御を制度良く行い得るようにするために、光フィルタ、光フィルタの制御方法又は光フィルタの制御装置を改良するところにある。
【００１０】
【課題を解決するための手段】
本発明のある側面によると、各々入力並びに第１及び第２の出力を有するカスケード接続された第１及び第２の光フィルタユニットを含む光フィルタの制御方法が提供される。第１の光フィルタユニットの第１の出力は第２の光フィルタユニットの入力に接続される。第１の光フィルタユニットの第２の出力と第２の光フィルタユニットの第２の出力から出力された光とが、それぞれそのパワーに応じたレベルを有する第１及び第２の電気信号に変換される。第１及び第２の電気信号を重み付けし、該重み付けされた第１及び第２の電気信号に基づき制御信号が生成される。そして、制御信号に基づき第１及び第２の光フィルタユニットが制御される。第１及び第２の電気信号の重み付けは第１及び第２の光フィルタユニットの損失に従って行われる。
【００１１】
この方法によると、例えば、第１及び第２の電気信号を適切に重み付けして加算することで制御信号を生成することによって、各光フィルタユニットにおける損失等に起因する制御誤差を抑えることができる。
【００１２】
本発明の他の側面によると、各々入力並びに第１及び第２の出力を有するカスケード接続された第１及び第２の光フィルタユニットを含む光フィルタの制御装置が提供される。第１の光フィルタユニットの第１の出力は第２の光フィルタユニットの入力に接続される。この装置は、第１の光フィルタユニットの第２の出力と第２の光フィルタユニットの第２の出力から出力された光とをそれぞれそのパワーに応じたレベルを有する第１及び第２の電気信号に変換する第１及び第２の変換器と、第１及び第２の電気信号を重み付けし、該重み付けされた第１及び第２の電気信号に基づき制御信号を生成する回路と、制御信号に基づき第１及び第２の光フィルタユニットを制御する回路とを備えている。第１及び第２の電気信号の重み付けは第１及び第２の光フィルタユニットの損失に従って行われる。
【００１３】
【発明の実施の形態】
以下、本発明の望ましい実施の形態を図面を参照して詳細に説明する。
【００１４】
図１を参照すると、本発明を適用可能なシステムの実施形態が示されている。このシステムは、第１の端局装置２と第２の端局装置４と端局装置２及び４を結ぶ光ファイバ伝送路６と、光ファイバ伝送路６に沿って設けられる複数（図では２つ）の光中継器８とを備えている。各光中継器８は光増幅器１０を含む。
【００１５】
第１の端局装置２は、異なる波長を有する複数の光信号を出力する複数の光送信機（ＯＳ）１２（＃１，・・・，＃Ｎ）と、これらの光信号を波長分割多重してその結果得られたＷＤＭ信号光を出力する光マルチプレクサ（ＭＵＸ）１４とを含む。光マルチプレクサ１４から出力されたＷＤＭ信号光は、本発明で特徴付けられる光フィルタ１５を通過した後光増幅器１６によって増幅されて光ファイバ伝送路６に送出される。
【００１６】
第２の端局装置４は、光ファイバ伝送路６により伝送されたＷＤＭ信号光を増幅する光増幅器１８と、光増幅器１８により増幅されたＷＤＭ信号光を複数の光信号に分ける光デマルチプレクサ（ＤＭＵＸ）２０と、これらの光信号を受ける複数の光受信機（ＯＲ）２２（＃１，・・・，＃Ｎ）とを含む。
【００１７】
このシステムによると、光増幅器１０，１６及び１８によってＷＤＭ信号光の損失が補償されるので、長距離伝送が可能になる。また、端局装置２及び４の各々にＷＤＭが適用されているので、多重数Ｎに応じて光ファイバ伝送路６による伝送容量を飛躍的に増大させることができる。
【００１８】
単一の光中継器８が用いられていても良いし、伝送距離に応じて光中継器は省略されても良い。また、ポストアンプとしての光増幅器１６或いはプリアンプとしての光増幅器１８は用いられていなくても良い。
【００１９】
図２は本発明の実施に使用することができるＡＯＴＦ（音響光学チューナブルフィルタ）を示す図である。
【００２０】
４１はニオブ酸リチウム（ＬｉＮｂＯ3）からなる基板、４２は表面弾性波（ＳＡＷ）を発生するＩＤＴ（インターディジタルトランスデューサ）、４３ａ及び４３ｂは光を互いに直交する偏波成分に分ける偏波ビームスプリッタ、４４は表面弾性波を伝搬させるＳＡＷガイド、４５ａ及び４５ｂは光導波路、４６及び４６´はＳＡＷ吸収体、４７は入力光、４８は非選択光、４９は選択光である。
【００２１】
図示しないファイバ中を伝搬してきた光は入力光４７として基板４１の端面から入射され、偏波ビームスプリッタ４３ａに達する。偏波ビームスプリッタ４３ａは、供給された光のＴＥ成分とＴＭ成分とを空間的に分離して出力する。ＴＭ光は光導波路４５ａ中を、ＴＥ光は光導波路４５ｂ中を伝搬して偏波ビームスプリッタ４３ｂに達する。偏波ビームスプリッタ４３ｂは構造上偏波ビームスプリッタ４３ａと同様に動作するので、ＴＥ光及びＴＭ光は非選択光４８として出力される。
【００２２】
ここで、ＩＤＴ２にＲＦ信号が与えられると、基板４１上で表面弾性波が発生する。ＳＡＷガイド４４の領域では表面弾性波の音速がその回りに比べて遅いので、発生した表面弾性波はＳＡＷガイド４４の領域に閉じ込められて伝搬する。このとき、ＩＤＴ４２に与えられたＲＦ信号の周波数に従って決定されるある波長の光に関して、光導波路４５ａ及び４５ｂを伝搬する光に偏波面回転が起きる。偏波ビームスプリッタ４３ｂの手前で９０度偏波面回転が起こるようにＲＦ信号のパワー等を調節すると、光導波路４５ａを通った光はＴＥ光光導波路４５ｂを通った光はＴＭ光となって偏波ビームスプリッタ４３ｂを通過するので、ＴＥ光及びＴＭ光ともに選択光４９として出力される。
【００２３】
このように、表面弾性波が光導波路に関連して伝搬することによって、表面弾性波のパワー及び周波数並びに光導波路の屈折率に応じて決定される特定波長の光に関して、ＴＥモードからＴＭモードへのモード変換或いはこれと逆のモード変換が行なわれる（モード変換器）。従って、このモード変換された光を偏光ビームスプリッタ等の特定の手段（図３では偏波ビームスプリッタ４３ｂ）によって取出すことによって、例えば、波長分割多重された複数チャネルの光信号を選択光と非選択光とに分けることができる。或いは、波長分割多重された複数チャネルの光信号とチャネル間の帯域にあるＡＳＥ光とに分けることができる。選択光の波長は表面弾性波の周波数に依存するので、選択光の波長はその周波数に応じてチューナブルである。
【００２４】
図３を参照すると、本発明による光フィルタの第１実施形態が示されている。ここでは、光フィルタ２４は、基板２６と、基板２６上に形成された２つの光フィルタユニット２８（＃１及び＃２）とを備えている。フィルタユニット２８（＃１及び＃２）は図２の構成のＡＯＴＦである。光フィルタユニット２８（＃１）の入力ポートに図２の入力光４７が供給され、光フィルタユニット２８（＃１）の出力ポート４８（＃１）は光ファイバ３０により光フィルタユニット２８（＃２）の入力ポートに接続される。光フィルタユニット２８（＃２）の出力ポート４９（＃２）がこの光フィルタ２４の出力ポートとなる。
【００２５】
光フィルタ２４の入力ポートには例えば図１に示される光マルチプレクサ１４からのＷＤＭ信号光が供給され、光フィルタ２４の出力ポートから出力されたＷＤＭ信号光は光増幅器１６（図１参照）により増幅されて光ファイバ伝送路６に送出される。
【００２６】
第１の光フィルタユニット２８（＃１）はＲＦ周波数によりトランスデューサでＳＡＷを発生し、ＲＦ周波数に対応した光波長が偏光回転をし、その波長の光を出力ポート４９（＃１）より選択光として出力する。この選択光をモニタ光として、Ｏ／Ｅ（光／電気変換器）３２（＃１）に供給する。
【００２７】
また、ＲＦ周波数に対応しない波長の光は出力ポート４８（＃１）より非選択光として出力される。この非選択光は第２の光フィルタユニット２８（＃２）の入力光として供給される。ここで、選択光のＲＦ周波数に対応した波長の光は全て選択されて出力ポート４９（＃１）より選択光として出力する訳ではなく、図２に示すように、所定量の出力が出力ポート４８（＃１）より非選択光と伴に出力される。
【００２８】
第２の光フィルタユニット２８（＃２）はＲＦ周波数によりトランスデューサでＳＡＷを発生し、ＲＦ周波数に対応した光波長が偏光回転をし、その波長の光を出力ポート４９（＃２）より選択光として出力する。この選択光をモニタ光として、Ｏ／Ｅ（光／電気変換器）３２（＃２）に供給する。
【００２９】
また、ＲＦ周波数に対応しない波長の光は出力ポート４８（＃２）より非選択光として出力される。この非選択光は光フィルタ２４の出力光として出力される。
【００３０】
ここで、第１の光フィルタユニット２８（＃１）と第２の光フィルタユニット２８（＃２）に供給されるＲＦ周波数は制御回路３８から出力される同じ周波数の同じ制御信号である。
【００３１】
Ｏ／Ｅ（光／電気変換器）３２（＃１）及び３２（＃２）でそれぞれの光フィルタユニットの選択光は電気信号に変換される。この変換された電気信号はそれぞれ補正回路３４（＃１）及び３４（＃２）入力される。
【００３２】
補正回路は３４（＃１）及び３４（＃２）は、第１の光フィルタユニット２８（＃１）のＲＦ周波数に対応した波長光が選択光とし出力されることで、第２の光フィルタユニット２８（＃２）では選択光が損失を受ける分を補償するための重み付けを行う。これにより、レベルの異なる第１の光フィルタユニットの選択光と第２の光フィルタユニットの選択光を変換した電気信号を共通に扱うことができる。
【００３３】
この、補正回路は３４（＃１）及び３４（＃２）の出力を加算器３４により加算する。この加算した結果を用いて、制御回路３８は第１の光フィルタユニットと第２の光フィルタユニットに供給するＲＦ周波数をトラッキングして、選択光から見た場合に最も損失が小さく、ＲＦ信号に対応した光波長の出力が最も大きくなるように、ＲＦ周波数を振って調整を行う。
【００３４】
このように、構成することで、複数の光フィルタユニットに共通のＲＦ周波数を掛けた場合に、複数の光フィルタユニット全体の損失中心波長を制御することができるため、単独の光フィルタユニットのモニタによりＲＦ周波数を制御した場合よりも高精度に制御することが可能になる。
【００３５】
本実施形態では、補正回路３４（＃１及び＃２）を用いて、Ｏ／Ｅ変換器３２（＃１及び＃２）からの信号レベルに重み付けを行っているので、例えば、加算器３６の出力レベルが最大又は最小になるように制御回路３８が光フィルタユニット２８（＃１及び＃２）を制御したときに、光フィルタユニット２８（＃１及び＃２）における損失等に起因する制御誤差を抑えることができる。
【００３６】
図４の（Ａ）を参照すると、本発明の実施形態における制御の結果の概要が示されている。実線は加算器３６から制御回路３８に供給される信号のレベル、破線は光フィルタ２４の透過特性を表している。前述した重み付けの結果、両者の波長依存性の中心が正確に一致していることがわかる。
【００３７】
これに対して、重み付けを行わなかった場合、あるいは光フィルタユニット２８（＃１及び＃２）のいずれか一方からのモニタ光のみを制御に供した場合、図４の（Ｂ）に示されるように、両者の波長依存性の中心がずれてしまうために、光信号の中心波長を光フィルタ２６の当該チャネルの中心波長に正確に一致させることができない。
【００３８】
従って、本発明を実施する場合、補正回路３４（＃１及び＃２）における重み付けは、光フィルタユニット２８（＃１及び＃２）の損失に応じて行うことが望ましい。例えば、重み付けは、制御信号のレベルの波長依存性における中心波長と、光フィルタ２４の透過特性の中心波長とが一致するように行われる。
【００３９】
なお、図４の（Ａ）及び（Ｂ）の特性は、光フィルタユニット２８（＃１及び＃２）の各々が、ＷＤＭの複数の光信号を生成するのに適したノッチフィルタである場合についてのものである。
【００４０】
図５は本発明による光フィルタの制御装置の第２実施形態を示す図である。ここでは、光フィルタユニット２８（＃３）を付加的に有している光フィルタ２４が用いられている。また、この変更に伴い、Ｏ／Ｅ変換器３２（＃３及び＃４）と補正回路３４（＃３及び＃４）が付加的に設けられている。
【００４１】
また、光フィルタユニット２８（＃１〜＃３）における偏波依存性を排除することを目的として、偏波ダイバーシティ型のループが構成されている。即ち、光サーキュレータ４０と偏波ビームスプリッタ４２とを用いて、光フィルタ２４を入出力に接続している。
【００４２】
光サーキュレータ４０は、ポート４０Ａ，４０Ｂ及び４０Ｃを有しており、ポート４０Ａに供給された光をポート４０Ｂから出力し、ポート４０Ｂに供給された光をポート４０Ｃから出力し、ポート４０Ｃに供給された光をポート４０Ａから出力するように機能する。ここでは、第３の機能は使われていない。
【００４３】
偏波ビームスプリッタ４２はポート４２Ａ，４２Ｂ及び４２Ｃを有している。ポート４２Ａ及び４２Ｂ間は紙面に水平な偏波面を有する偏波モードにより結合され、ポート４２Ａ及び４２Ｃ間は紙面に垂直な偏波面を有する偏波モードにより結合される。
【００４４】
光サーキュレータ４０のポート４０Ｂは偏波ビームスプリッタ４２のポート４２Ａに接続され、ポート４２Ｂは光フィルタユニット２８（＃１）の入力に接続され、ポート４２Ｃは光フィルタユニット２８（＃３）の出力に接続される。光フィルタユニット２８（＃２）の出力は光フィルタユニット２８（＃３）の入力に接続される。また、光サーキュレータ４０のポート４０Ａ及び４０Ｃは、それぞれこの光フィルタ全体としての入力及び出力となる。
【００４５】
光フィルタユニット２８（＃２及び＃３）間は光ファイバ４４により接続されている。
【００４６】
図に示されるループにおいて、時計回りで伝搬する光に関するモニタ光は、それぞれ光フィルタユニット２８（＃１及び＃２）の選択光出力からＯ／Ｅ変換器３２（＃１及び＃２）に供給され、反時計回りで伝搬する光に関するモニタ光は、それぞれ光フィルタユニット２８（＃３及び＃２）の選択光出力からＯ／Ｅ変換器３２（＃３及び＃４）に供給される。
【００４７】
重み付けの設定は、例えば第１実施例で光フィルタユニット２８（＃１及び＃２）だけが用いられている場合において、１段分の損失が−１０ｄＢであるときには、モニタ光の（ｄＢｍ）に対して＋１０ｄＢとなるように実施される。
【００４８】
本実施形態では、三つの光フィルタユニット（＃１〜＃３）が用いられている。例えば、１段目から順に−３ｄＢ、−６ｄＢ及び−９ｄＢの損失であるとすると、それぞれの補正値は、０ｄＢ、＋３ｄＢ及び＋６ｄＢに設定される。
【００４９】
この補正法の根拠は、各段の損失を受け、各段のフィルタ特性を合成して得られる多段透過後のノッチフィルタの特性の相補的形状が、各段の損失を含むモニタ出力の合成形状の相補的形状になるということに起因する。即ち、光信号の入出力でみると、エネルギー保存則が成立することに相当する。
【００５０】
従って、多段接続後のノッチフィルタの特性の相補的形状をモニタ出力で得ることができれば、ノッチフィルタとモニタ出力の透過中心波長が一致することになり、精度の高いトラッキングが可能になる。
【００５１】
第１及び第２実施例の説明では制御回路３８は光フィルタユニットの制御信号のＲＦ周波数は１つ掛け選択光を１つとしていた。しかし、制御回路３８より各光フィルタユニットに複数のＲＦ周波数を多重して供給することで、複数波長の光を選択光として取り出すことができる。この場合複数のＲＦ周波数の中から、特定のＲＦ周波数を１つディザリングすることで、その特定ＲＦ周波数に対応する光波長の選択光パワーが変動する。
【００５２】
この変動で、光フィルタ（複数の光フィルタユニット全体）の特定ＲＦ周波数に対する損失の最小値と信号の最大値に調整をすることで、複数の波長の光を選択光とすることも可能である。
【００５３】
本発明は以下の付記を含むものである。
【００５４】
（付記１）  各々入力並びに第１及び第２の出力を有するカスケード接続された第１及び第２の光フィルタユニットを含む光フィルタの制御方法であって、
前記第１の光フィルタユニットの第１の出力は前記第２の光フィルタユニットの入力に接続され、
前記第１の光フィルタユニットの第２の出力と前記第２の光フィルタユニットの第２の出力から出力された光とをそれぞれそのパワーに応じたレベルを有する第１及び第２の電気信号に変換するステップと、
前記第１及び第２の電気信号に基づき制御信号を生成するステップと、
前記制御信号に基づき前記第１及び第２の光フィルタユニットを制御するステップとを備えた方法。
【００５５】
（付記２）  付記１に記載の方法であって、
前記第１の光フィルタユニットの入力に第１の波長を有する光を供給するステップを更に備え、
前記制御するステップは、前記第１及び第２の光フィルタユニットの透過特性の各中心波長を前記第１の波長に一致させることを含む方法。
【００５６】
（付記３）  付記１に記載の方法であって、
前記制御信号を生成するステップは、前記第１及び第２の電気信号を重み付けするステップを含む方法。
【００５７】
（付記４）  付記３に記載の方法であって、
前記第１及び第２の電気信号の重み付けは前記第１及び第２の光フィルタユニットの損失に従って行われる方法。
【００５８】
（付記５）  付記１に記載の方法であって、
前記制御信号を生成するステップは、前記制御信号のレベルの波長依存性における中心波長と前記光フィルタの透過特性の中心波長とが一致するように前記第１及び第２の電気信号を重み付けするステップを含む方法。
【００５９】
（付記６）  付記１に記載の方法であって、
前記制御するステップは、前記第１及び第２の光フィルタユニットの各透過特性の中心波長が依存するパラメータを前記制御信号に基き制御するステップを含む方法。
【００６０】
（付記７）  付記６に記載の方法であって、
前記第１及び第２の光フィルタユニットの各々は音響光学チューナブルフィルタであり、前記パラメータは前記音響光学チューナブルフィルタに供給される交流信号の周波数である方法。
【００６１】
（付記８）  付記１に記載の方法であって、
前記第１及び第２の光フィルタユニットの各々は音響光学チューナブルフィルタである方法。
【００６２】
（付記９）  付記１に記載の方法であって、
前記第１及び第２の光フィルタユニットの各々はノッチフィルタである方法。
【００６３】
（付記１０）  各々入力並びに第１及び第２の出力を有するカスケード接続された第１及び第２の光フィルタユニットを含む光フィルタの制御装置であって、
前記第１の光フィルタユニットの第１の出力は前記第２の光フィルタユニットの入力に接続され、
前記第１の光フィルタユニットの第２の出力と前記第２の光フィルタユニットの第２の出力から出力された光とをそれぞれそのパワーに応じたレベルを有する第１及び第２の電気信号に変換する第１及び第２の変換器と、
前記第１及び第２の電気信号に基づき制御信号を生成する回路と、
前記制御信号に基づき前記第１及び第２の光フィルタユニットを制御する回路とを備えた装置。
【００６４】
（付記１１）  付記１０に記載の装置であって、
前記生成する回路は、前記第１及び第２の変換器の出力をそれぞれ重み付けする第１及び第２の補正回路と、前記第１及び第２の補正回路の出力を加算する加算器とを含む装置。
【００６５】
（付記１２）  付記１０に記載の装置であって、
前記第１の光フィルタユニットの入力には第１の波長を有する光が供給され、
前記制御する回路は、前記第１及び第２の光フィルタユニットの透過特性の各中心波長を前記第１の波長に一致させる手段を含む装置。
【００６６】
（付記１３）  付記１０に記載の装置であって、
前記制御信号を生成する回路は、前記第１及び第２の電気信号を重み付けする回路を含む装置。
【００６７】
（付記１４）  付記１３に記載の装置であって、
前記第１及び第２の電気信号の重み付けは前記第１及び第２の光フィルタユニットの損失に従って行われる装置。
【００６８】
（付記１５）  付記１０に記載の装置であって、
前記制御信号を生成する回路は、前記制御信号のレベルの波長依存性における中心波長と前記光フィルタの透過特性の中心波長とが一致するように前記第１及び第２の電気信号を重み付けする装置。
【００６９】
（付記１６）  付記１０に記載の装置であって、
前記制御する回路は、前記第１及び第２の光フィルタユニットの各透過特性の中心波長が依存するパラメータを前記制御信号に基き制御する装置。
【００７０】
（付記１７）  付記１６に記載の装置であって、
前記第１及び第２の光フィルタユニットの各々は音響光学チューナブルフィルタであり、前記パラメータは前記音響光学チューナブルフィルタに供給される交流信号の周波数である装置。
【００７１】
（付記１８）  付記１０に記載の装置であって、
前記第１及び第２の光フィルタユニットの各々は音響光学チューナブルフィルタである装置。
【００７２】
（付記１９）  付記１０に記載の装置であって、
前記第１及び第２の光フィルタユニットの各々はノッチフィルタである装置。
【００７３】
【発明の効果】
以上説明したように、本発明によると、光フィルタのトラッキング制御を精度良く行うのに適した光フィルタの制御方法及び制御装置の提供が可能になるという効果が生じる。
【図面の簡単な説明】
【図１】図１は本発明を適用可能なシステムのブロック図である。
【図２】図２は本発明の実施に使用することができる音響光学チューナブルフィルタ（ＡＯＴＦ）を示す図である。
【図３】図３は本発明による光フィルタの制御装置の第１実施形態を示す図である。
【図４】図４の（Ａ）は本発明の実施形態における制御の状態を示すグラフ、図４の（Ｂ）は本発明によらない場合における制御の状態を示すグラフである。
【図５】図５は本発明による光フィルタの制御装置の第２実施形態を示す図である。
【符号の説明】
２４  光フィルタ
２６  基板
２８  光フィルタユニット
３２  Ｏ／Ｅ変換器
３４  補正回路
３６  加算器
３８  制御回路
【図１】
0003942890.tif 000002
【図２】
0003942890.tif 000003
【図３】
0003942890.tif 000004
【図４】
0003942890.tif 000005
【図５】
0003942890.tif 000006